(57)【要約】      （修正有）【課題】熱抵抗を大幅減少させ、発光効率を高め、かつ使用寿命が延長され、組立コストも減少されるＬＥＤランプを提供する。【解決手段】ＬＥＤランプは、ＬＥＤランプシェード２１０と、放熱板２６０と、駆動チップ２３０と、ランプヘッド２５０とを含む。ＬＥＤランプシェードは、放熱板に連結される。駆動チップは、放熱板の内部に設置され、且つリベットによりランプヘッドに連結される。放熱板は配線層を含み、配線層が駆動チップに電気的に接続される。ＬＥＤランプはさらに複数のＬＥＤ電球２７０を含み、すべてのＬＥＤ電球が放熱板の上に設置されて、且つ配線層に電気的に接続される。自動挿入技術／表面実装技術を用いて複数のＬＥＤ電球を放熱板の上に設けることにより、組立コストを減少させる。また、ＬＥＤの熱が直接に放熱部品に伝導されるので、熱抵抗が大幅減少する。【選択図】図２
0003188176.tif 000002
【実用新案登録請求の範囲】
【請求項１】
ＬＥＤランプであって、ＬＥＤランプシェードと、放熱板と、駆動チップと、ランプヘッドとを含み、
前記ＬＥＤランプシェードは、前記放熱板に連結され、
前記駆動チップは前記放熱板の内部に設置され、且つリベットにより前記ランプヘッドに連結され、
前記放熱板は配線層を含み、前記配線層が前記駆動チップに電気的に接続され、
前記ＬＥＤランプはさらに複数のＬＥＤ電球を含み、すべてのＬＥＤ電球が前記放熱板の上に設置され、且つ前記配線層に電気的に接続されていることを特徴とするＬＥＤランプ。
【請求項２】
前記複数のＬＥＤ電球は、等円周長距離をおいて前記放熱板の上に設けられることを特徴とする請求項１に記載のＬＥＤランプ。
【請求項３】
前記複数のＬＥＤ電球は、前記放熱板の上に溶接されることを特徴とする請求項１に記載のＬＥＤランプ。
【請求項４】
前記放熱板の上には通り穴が設けられ、前記駆動チップの陽極と陰極の配線は前記通り穴を通過することを特徴とする請求項１に記載のＬＥＤランプ。
【請求項５】
前記放熱板の外回りの表面には、等距離に設けられる複数の放熱フィンが形成されていることを特徴とする請求項１に記載のＬＥＤランプ。
【請求項６】
前記ＬＥＤランプは、ランプヘッド連結部品をさらに含み、前記駆動チップは、ランプヘッド連結部品により前記放熱板の上にリベットされることを特徴とする請求項１に記載のＬＥＤランプ。
【請求項７】
前記ＬＥＤランプシェードの底部は、差込方式或いは回転方式により前記放熱板の外回りに連結されることを特徴とする請求項１に記載のＬＥＤランプ。
【考案の詳細な説明】
【技術分野】
【０００１】
本考案は、製造領域に関し、特にＬＥＤランプに関する。
【背景技術】
【０００２】
発光ダイオード（Light  Emitting  Diode）及び白光ＬＥＤの技術発展に伴って、映写用電球、街灯、台灯等に応用される商品がだんだん発展している。ＬＥＤ照明は従来のタングステン電球に取って代わって、室内外照明の主な光源になっている。
【０００３】
ＬＥＤは半導体部品であって、従来のタングステン電球と違うところは、従来のタングステン電球が最大電流でフィラメントを加熱して発光する。しかし、ＬＥＤは半導体材料中の電子が結合する際のエネルギーが発光方式として釈放されるので、非常に少ない電流でも高輝度の光を発光することができる。
【０００４】
図１に示すように、従来技術のＬＥＤランプは、ＬＥＤランプシェード１１０と、放熱板１２０と、駆動チップ１３０と、プラスチックベース１４０と、ランプヘッド１５０とを含む。前述放熱板１２０の上には、ランププレート１６０が設けられる。前述ランププレート１６０はＰＣＢ板であって、複数のねじ１７０を介して前述放熱板１２０の上に固定される。前述ランププレート１６０の上には、複数のＬＥＤ電球１８０が設けられる。前述プラスチックベース１４０内には、駆動チップ１３０が設置され、前記駆動チップ１３０は、前述ランププレート１６０を通して複数のＬＥＤ電球１８０を駆動する。
【０００５】
しかしながら、現下のＬＥＤランプの最大技術問題は、放熱問題であり、ＬＥＤの輝度がだんだん増えると、発光に伴う熱量も次第に上昇する。即時に生成された熱量を導出することができなければ、ＬＥＤ部品が速く老化されて、ＬＥＤの光減衰が速くになり、使用寿命が短くになる。はてはチップが焼損する可能性もある。
【考案の概要】
【考案が解決しようとする課題】
【０００６】
本考案の目的は、ＬＥＤランプを提供することにある。本考案のＬＥＤランプは、従来のＬＥＤランプの放熱問題を解決して、ＬＥＤランプの熱抵抗を大幅減少させ、ＬＥＤランプの発光効率を高めることができる。また、ＬＥＤランプの使用寿命を延長させ、組立の製造コストも減少することができる。
【課題を解決するための手段】
【０００７】
上記目的を達成するために、本考案は、下記の技術方案を採用する。ＬＥＤランプは、ＬＥＤランプシェードと、放熱板と、駆動チップと、ランプヘッドとを含み、前記ＬＥＤランプシェードは、前記放熱板に連結される。前記駆動チップは前記放熱板の内部に設置され、且つリベットにより前記ランプヘッドに連結されている。前記放熱板は配線層を含み、前記配線層が前記駆動チップに電気的に接続されている。前記ＬＥＤランプは複数のＬＥＤ電球をさらに含み、前記すべてのＬＥＤ電球は、前記放熱板の上に設置され、且つ前記配線層に電気的に接続されている。
【０００８】
なお、前記複数のＬＥＤ電球は、等円周長距離において前記放熱板の上に設けられる。
【０００９】
なお、前記複数のＬＥＤ電球は、前記放熱板の上に溶接される。
【００１０】
なお、前記放熱板の上には通り穴が設けられ、前記駆動チップの陽極と陰極の配線は前記通り穴を通過する。
【００１１】
なお、前記放熱板の外回りの表面には、等距離に設けられる複数の放熱フィンが形成されている。
【００１２】
なお、前記ＬＥＤランプは、ランプヘッド連結部品をさらに含み、前記駆動チップは、前記ランプヘッド連結部品により前記放熱板の上にリベットされている。
【００１３】
なお、前記ＬＥＤランプシェードの底部は、差込方式或いは回転方式により前記放熱板の外回りに連結される。
【考案の効果】
【００１４】
本考案の利点は、自動挿入技術（Auto  Insert）/表面実装技術（Surface  Mount  Technology）で複数のＬＥＤ電球を前記放熱板の上に設けて、ＬＥＤ組立の製造コストも材料コストも減少される。また、ＬＥＤの発熱が直接に放熱部品に伝導されて、ＬＥＤランプの熱抵抗を大幅減少させ、ＬＥＤランプの発光効率を高めると、ＬＥＤランプの使用寿命が延長される。
【図面の簡単な説明】
【００１５】
【図１】従来技術のＬＥＤランプの分解斜視図である。
【図２】本考案におけるＬＥＤランプの分解斜視図である。
【図３】本考案におけるＬＥＤランプの部分図である。
【図４】図３に示すＬＥＤランプの上視図である。
【考案を実施するための形態】
【００１６】
以下、本考案で提供されるＬＥＤランプの具体的な実施方式に対して、図面を参照しながら詳しく説明する。
【００１７】
図２は本考案におけるＬＥＤランプの分解斜視図である。図３は本考案におけるＬＥＤランプの部分図である。図４は図３に示すＬＥＤランプの上視図である。
【００１８】
図２を参照すると、ＬＥＤランプはＬＥＤランプシェード２１０と、放熱板２６０と、駆動チップ２３０と、ランプヘッド２５０とを具備する。前記ＬＥＤランプシェード２１０は、前記放熱板２６０に連結される。前記ＬＥＤランプシェード２１０の底部は、差込方式又は回転方式により前記放熱板２６０の外回りに連結される。本考案の実施例において、前記ＬＥＤランプシェード２１０の底部は、ねじの回転方式により前記放熱板２６０の外回りに連結される。
【００１９】
前記放熱板２６０の内部には前記駆動チップ２３０が設置される。前記駆動チップ２３０と記ランプヘッド２５０との間は、例えばリベットにより連結される。前記駆動チップ２３０は、高効率の駆動チップを採用することにより、ＬＥＤ電球２７０の発光を効果的に駆動して、ＬＥＤランプの発光量を高めることができる。
【００２０】
前記放熱板２６０の上部には配線層２６２が形成されている。前記配線層２６２は、通り穴２６１を通過して、前記駆動チップ２３０の陽極と陰極の配線に電気的に接続される。前記配線層２６２は図案化された配線層である。前記放熱板２６０の上には、複数のＬＥＤ電球２７０が設けられる。前記複数のＬＥＤ電球２７０は、自動挿入技術（Auto  Insert）/表面実装技術（Surface  Mount  Technology）により前記配線層２６２に接続される。なお、ＬＥＤ電球２７０は、前記配線層２６２、駆動チップ２３０及びランプヘッド２５０を順次通過した後、外部電源に電気的に接続される。
【００２１】
本考案の実施例において、前記複数のＬＥＤ電球２７０は、等円周長距離をおいて前記放熱板２６０の配線層２６２の上に設けられる。このような配置方式は、放熱面積を増やして、ＬＥＤランプの放熱問題を効果的に解決することができる。
【００２２】
また、前記放熱板２６０上には通り穴２６１が設けられる。前記駆動チップ２３０の陽極と陰極の配線は前記通り穴２６１を通過する。
【００２３】
前記放熱板２６０の外回りの表面には、複数の放熱フィン２２０が設けられる。前記複数の放熱フィン２２０は等距離に分けられている。前記複数の放熱フィン２２０設けることによって、前記ＬＥＤランプが発生した熱量を一層有効に放熱させ、ＬＥＤランプの熱抵抗を大幅減少させることができる。従って、ＬＥＤランプの発光効率を高めるとともに、ＬＥＤランプの使用寿命を延長することができる。
【００２４】
本考案の実施例において、すべての前記ＬＥＤ電球２７０は、ソルダペーストにより前記放熱板２６０の上に半田付けされる。即ち、自動挿入技術（Auto  Insert）/表面実装技術（Surface  Mount  Technology）により、前記ＬＥＤ電球２７０が前記放熱板２６０の配線層２６２の上に半田付けされる。
【００２５】
本考案の実施例において、ＬＥＤ電球２７０は、発光効率が１４１．７１m/Ｗである電球を採用することにより、ＬＥＤランプの発光効率を一層高める。
【００２６】
本考案の実施例において、前記ＬＥＤランプは、前記駆動チップ２３０を前記放熱板２６０の上に例えばリベットするランプヘッド連結部品２４０をさらに含む。
【００２７】
本考案の実施例において、前記ＬＥＤランプシェード２１０は、全周配光シェードを採用することにより、ランプシェードの透明度を増やし、発光効率を高める。
【００２８】
前述したように、自動挿入技術（Auto  Insert）/表面実装技術（Surface  Mount  Technology）で複数のＬＥＤ電球を前記放熱板の上に設けることにより、ＬＥＤの組立コストと材料コストを減少させる。また、ＬＥＤの熱が直接に放熱部品に伝導されるので、ＬＥＤランプの熱抵抗を大幅減少させ、ＬＥＤランプの発光効率を高めるとともに、ＬＥＤランプの使用寿命を延長させることができる。なお、組立の製造コストも減少される。
【００２９】
上記のように、本考案は、好ましい実施例で上記のように説明したが、これは本考案を制限することではなくて、本考案が属する技術分野で通常の知識を持っている技術者が本考案の構想と範囲を離脱しない範囲で、様々な変更と変化の可能性があるため、本考案の保護の範囲は以下の実用新案登録請求の範囲に確定された範囲を基準とする。
【符号の説明】
【００３０】
１１０  ＬＥＤランプシェード
１２０  放熱板
１３０  駆動チップ
１４０  プラスチックベース
１５０  ランプヘッド
１６０  ランププレート
１７０  ねじ
１８０  ＬＥＤ電球
２１０  ＬＥＤランプシェード
２２０  放熱フィン
２３０  駆動チップ
２４０  ランプヘッド連結部品
２５０  ランプヘッド
２６０  放熱板
２６１  通り穴
２６２  配線層
２７０  ＬＥＤ電球
【図１】
0003188176.tif 000003
【図２】
0003188176.tif 000004
【図３】
0003188176.tif 000005
【図４】
0003188176.tif 000006